(57)【要約】【課題】装置の小型化や装置コストの低減を図ることができ、また、撮影機能部分を単独で軽便に利用することができ、しかも、各筐体の開口部において障害の発生原因となる塵埃や外光の侵入を防止できる投入射兼用電子機器を提供すること。【解決手段】装置筐体３を、着脱可能に連結されると共に稼働位置Ｐ１と非稼働位置Ｐ２とにスライド可能な第１筐体５と第２筐体６とで構成して、第１筐体５には撮影機能に必要な部品を組み込み、第２筐体６には稼働位置Ｐ１にあるときに第１筐体５内のレンズ９を利用して投影できるように投影機能に必要な部品を組み込み、投影光２７の光路のために両筐体に装備する開口には、稼働位置Ｐ１で連結されているとき以外は開口を閉じる可動式遮光シャッタ３１，３２を設ける。【選択図】図１
2009025363.tif 000002
【特許請求の範囲】
【請求項１】
撮影部と、投影部と、前記撮影部および前記投影部で兼用する投入射兼用レンズを備えた第１筐体と、
画像を投影するための投影光を出射する光源部を備えた第２筐体と、
前記第２筐体に設けられ、前記投影部に前記光源部から投影光を出射する投影光出射口と、
前記第１筐体に設けられ、前記投影光出射口と対向するよう配置された投影光入射口と、
前記投影光出射口および／または前記投影光入射口に設けられ、前記投影光出射口および／または前記投影光入射口を閉状態とするシャッタ機構と、を有することを特徴とする投入射兼用電子機器。
【請求項２】
前記第１筐体と第２筐体は、スライド機構を有し、
前記投影光出射口と前記投影光入射口が対向する稼動位置と、
前記投影光出射口と前記投影光入射口が対向しない非稼動位置との間を、スライドすることを特徴とする請求項１に記載の投入射兼用電子機器。
【請求項３】
前記シャッタ機構は、前記稼動位置にスライドされたときに、前記投影光出射口と前記投影光入射口とを開状態とすることを特徴とする請求項２に記載の投入射兼用電子機器。
【請求項４】
前記シャッタ機構は、前記非稼動位置にスライドされたときに、前記投影光出射口および／または前記投影光入射口を閉状態とすることを特徴とする請求項２に記載の投入射兼用電子機器。
【請求項５】
前記第１筐体と第２筐体とは、着脱可能に構成され、
前記シャッタ機構は、前記１筐体と前記第２筐体とが離脱状態にあるときに、前記投影光出射口および／または前記投影光入射口を閉状態とすることを特徴とする請求項１に記載の投入射兼用電子機器。
【発明の詳細な説明】
【技術分野】
【０００１】
本発明は、装置内の光源部から出射された投影光をレンズを通して装置外の所定位置に投射して画像描画を行う投影部と、レンズを通して装置内に入射した撮像光による結像を映像読取手段により取得する撮影部と、を備える投入射兼用電子機器に関する。
【背景技術】
【０００２】
装置内の光源部から出射された投影光をレンズを通して装置外の所定位置に投射して画像描画を行う投影機能を具備した電子機器が周知である。例えば、ランプやロッドインテグレータやカラーホイール等を備えて画像情報に応じた投影光を出射する光源部と、該光源部が出射する投影光を所定の投影位置に輝度を落とさずに照射する投影レンズとを備えて、パソコン等で作成した画像をスクリーンに拡大して投影するプロジェクタを挙げることができる。
【０００３】
また、レンズを通して装置内に入射した撮像光による結像を映像読取手段により取得する撮影機能を具備した電子機器が知られている。例えば、入射する撮像光を装置内の所定位置に結像させる撮影レンズと、撮影レンズによる結像を電子的な画像情報として読み取る映像読取手段（イメージセンサ）とを備えた電子式カメラを挙げることができる。
【０００４】
近年、上記の投影機能と撮影機能との双方を備えた電子機器として、投影機能を持つプロジェクタ装置に、電子式カメラ機構を内蔵させたものが提案されている（例えば、特許文献１、特許文献２参照）。
【特許文献１】特開２００４−２０８０８９号公報
【特許文献２】特開２００４−１６３８７６号公報
【発明の開示】
【発明が解決しようとする課題】
【０００５】
ところで、デジタルビデオで撮影した映像を、プロジェクタをつかって映し出し大画面で鑑賞したいという期待が高まっている。このような場合、デジタルビデオをプロジェクタへ接続すればそのような要望に応えることは可能である。しかしながら、デジタルビデオをプロジェクタへ接続するには複雑な配線をしなければならない手間がある。また、複数の装置が必要な上、比較的大きなプロジェクタであれば気軽に持ち運ぶことは容易でなく、また設置場所が限られてしまう。
【０００６】
一方、前述した各特許文献に記載のプロジェクタ装置における内蔵のカメラ機構は、プロジェクタ装置の投影画像のコントラスト補正等の調整処理のために投影画像を撮影することを目的として装備されている。このため、カメラ機構がプロジェクタ装置の大きな筐体内に組み込まれ一体として構成されている。したがって、このように一体型とすると、カメラを使うのみであるにも拘らず、大きな筐体を取り扱わなければならないため、撮影機能を自由に扱うことができず、撮影場所が限られてしまう。
【０００７】
また、上記特許文献１では、投影機能で使う投影レンズと、撮影機能で使う撮影レンズとをそれぞれ個別に装備しているが、このように、撮影機能及び投影機能のそれぞれで個別にレンズを装備する構成では、光学系の構成部品が多くなり、装置が大型化したり、装置コストが増大する。
【０００８】
一方、上記特許文献２では、撮影機能で使う撮影レンズが投影機能で使う投影レンズとしても活用されるように構成されていて、光学系の構成部品の削減による装置の小型化や、装置コストの低減が期待できる。
【０００９】
そこで、上記特許文献２のように、撮影機能で使う撮影レンズを投影機能で使う投影レンズとしても活用する構成を採用して、光学系の構成部品の削減による装置の小型化と低コスト化とを図り、更に、撮影機能部分及び投影機能部を簡単に分離できるよう、各機能部分を互いに着脱可能な２つの筐体に分別収容する構成にした電子機器が提案されている。
【００１０】
撮影機能部分及び投影機能部分を２つの筐体に分別収容する構成の場合、例えば、撮影機能用の筐体に装備したレンズを、投影機能からも利用できるようにするには、投影機能用の筐体内の光源部から出射された投影光が撮影機能用の筐体のレンズに入射できるように、互いの筐体に投影光を通すための開口部を設けておく必要がある。
【００１１】
しかしながら、開口部を設けると２つの筐体を離脱させて使用するときに、それぞれの開口部は開放したままになってしまう。これでは、そこからの塵埃や外光の侵入によって障害が発生する虞がある。従って、撮影機能部分及び投影機能部分を２つの筐体に分別収容する構成を採用すれば、光源を必要とする投影機能を使用する場合は各開口部を開状態とし、それ以外の場合には各開口部を閉状態とする必要がある。
【００１２】
そこで、本発明の目的は上記課題を解消するためになされたものであって、撮影機能で使う撮影レンズを投影機能で使う投影レンズに兼用することで、光学系の構成部品の削減による装置の小型化や、装置コストの低減を図ることができ、また、撮影機能部分を投影機能部分から切り離して、撮影機能部分を単独で軽便に利用することができ、しかも、投影機能のためにそれぞれの筐体に設けた開口部は、投影機能を使う時以外は閉じた状態に保持して、障害の発生原因となる塵埃や外光の侵入を防止できる投入射兼用電子機器を提供することを目的とする。
【課題を解決するための手段】
【００１３】
上記課題を解決することのできる本発明に係る投入射兼用電子機器は、撮影部と、投影部と、前記撮影部および前記投影部で兼用する投入射兼用レンズを備えた第１筐体と、
画像を投影するための投影光を出射する光源部を備えた第２筐体と、
前記第２筐体に設けられ、前記投影部に前記光源部から投影光を出射する投影光出射口と、
前記第１筐体に設けられ、前記投影光出射口と対向するよう配置された投影光入射口と、
前記投影光出射口および／または前記投影光入射口に設けられ、前記投影光出射口および／または前記投影光入射口を閉状態とするシャッタ機構と、を有することを特徴とする。
【００１４】
上記構成によれば、第１筐体内に装備されている投入射兼用レンズは、撮影部にも投影部にも兼用されるため、撮影部と投影部とで個別に光学系を装備する必要がなく、光学系の構成部品の削減による装置の小型化や、装置コストの低減を図ることができる。
【００１５】
また、投影光の通過のためにそれぞれの筐体に設けた投影光出射口及び投影光入射口は、投影部を使用する場合以外は、シャッタ機構によって少なくともいずれかが閉状態とされる。したがって、投影部を使用する場合以外に、投影光出射口及び投影光入射口から塵埃や外光が侵入を防止することができる。
【００１６】
また、本発明において、前記第１筐体と第２筐体は、スライド機構を有し、前記投影光出射口と前記投影光入射口が対向する稼動位置と、前記投影光出射口と前記投影光入射口が対向しない非稼動位置との間を、スライドすることを特徴とする。
【００１７】
上記構成によれば、スライドする位置により、稼動位置では、投影光出射口から投影光入射口へ投影光が通過可能であり、非稼動位置では、投影光出射口から投影光入射口へ投影光が通過できない。
【００１８】
また、本発明において、前記シャッタ機構は、前記稼動位置にスライドされたときに、前記投影光出射口と前記投影光入射口とを開状態とすることを特徴とする。また、前記シャッタ機構は、前記非稼動位置にスライドされたときに、前記投影光出射口および／または前記投影光入射口を閉状態とすることを特徴とする。
【００１９】
上記構成によれば、投影光の通過のためにそれぞれの筐体に設けた投影光出射口及び投影光入射口は、スライド機構により、スライドしたとき、シャッタ機構によって容易に開閉状態を切り替えることができる。したがって、投影部のためにそれぞれの筐体に設けた投影光出射口及び投影光入射口の少なくともいずれか一方は、投影部を使う時以外は容易に閉じた状態にすることができる。
【００２０】
また、本発明において、前記第１筐体と第２筐体とは、着脱可能に構成され、
前記シャッタ機構は、前記１筐体と前記第２筐体とが離脱状態にあるときに、前記投影光出射口および／または前記投影光入射口を閉状態とすることを特徴とする。
【００２１】
上記構成によれば、装置筐体を構成している第１筐体と第２筐体とは着脱可能になっていて、第１筐体を第２筐体から分離することで、撮影機能部分を投影機能部分から切り離して、撮影機能部分を単独で利用することができる。すなわち、第１筐体と第２筐体とを分離した時に、少なくとも投影光出射口と投影光入射口のいずれかが開放状態で外部に露出することがなく、これらの投影光出射口及び投影光入射口において、障害の発生原因となる塵埃や外光が侵入を防止することができる。
【発明を実施するための最良の形態】
【００２２】
以下、本発明に係る投入射兼用電子機器の好適な実施の形態について、図面を参照して詳細に説明する。
図１は本発明に係る投入射兼用電子機器の一実施の形態の分解斜視図、図２は図１に示した投入射兼用電子機器の各筐体内部の概略構成図、図３は図１に示した各筐体を投影機能の非稼働位置で上下に重ねて連結した状態の側断面図、図４は図３に示した非稼働位置における連結状態で、各筐体の投影光出射口及び投影光入射口を閉じている可動式遮光シャッタの説明図、図５は図３のＡ−Ａ断面図、図６は図３に示した連結状態から第２筐体を稼働位置にスライドさせることにより、投影光出射口及び投影光入射口の可動式遮光シャッタが開いた状態となった時の側断面図である。
【００２３】
この一実施の形態の投入射兼用電子機器１は、装置筐体３が、第１筐体５と、該第１筐体５の上面に重ねた状態で着脱可能に連結され、且つ、連結状態時には一方向に（図６に矢印Ｂに示す前後方向に）位置をずらして設定された稼働位置Ｐ１と非稼働位置Ｐ２とにスライド可能な第２筐体６とで構成されている。
【００２４】
これらの各筐体５，６は、上下方向に偏平な直方体状の箱構造を成している。なお、本実施の形態の場合、稼働位置Ｐ１は、第２筐体６の後端位置を第１筐体５の後端位置から距離Ｌだけ後方にスライドさせた位置である。また、非稼働位置Ｐ２は、第２筐体６の後端位置を第１筐体５の後端位置に揃えた位置である。
【００２５】
そして、図２に示すように、第１筐体５には、該第１筐体５単独で電子式カメラとして使用できるように、レンズ９と、外部からレンズ９に入射した撮像光１１が反射するミラーデバイス１３と、ミラーデバイス１３が反射した撮像光１１を撮影する映像読取手段（イメージセンサ）１５とが組み込まれている。このとき、ミラーデバイス１３の各マイクロミラーはＯＦＦとされ、撮像光１１を反射する。
【００２６】
また、図６に示すように、第２筐体６の下面が重ねられる第１筐体５の積層面（上面）には、第２筐体６が稼働位置Ｐ１にあるときに第２筐体６上に形成されている投影光出射口１７に連通する投影光入射口１９が備えられている。
【００２７】
第２筐体６には、図２に示すように、ランプ２１やロッドインテグレータ２３やカラーホイール２５等を備えて画像情報に応じた投影光２７を出射する光源部２９が組み込まれている。
第２筐体６は、図６に示すように、当該第２筐体６が稼働位置Ｐ１で前記第１筐体５に連結されているときには、光源部２９から出射された投影光２７が、投影光出射口１７及び投影光入射口１９を通過して、ミラーデバイス１３を介してレンズ９に送られる。
第１筐体５では、投影光２７を受けたミラーデバイス１３の各マイクロミラーを、所定の処理を施したデジタルの画像信号によりＯＮ／ＯＦＦさせて投影画像を形成し、レンズ９により外部へ投射する。このようにして、投影機能が使用でき、例えば、パソコン等で作成した画像をスクリーンに拡大して投影するプロジェクタとして利用できる。
この構成では、第１筐体５側から第２筐体６側へ、カラーホイール２５用の同期信号を供給することが必要であり、お互いを不図示の着脱可能なケーブルやコネクタで接続する。カラーホイール２５を第１筐体５側に構成すれば不要となる。
【００２８】
本実施の形態の場合、図３に示すように第１筐体５と第２筐体６とが非稼働位置Ｐ２で連結状態にある時、及び図１に示すように第１筐体５と第２筐体６とが完全に分離した離脱状態にある時には、投影光入射口１９及び投影光出射口１７が可動式遮光シャッタ３１，３２により閉じられた状態に維持される。離脱状態になると、第１筐体５は単独で、レンズ９から入射してミラーデバイス１３に結像した撮像光１１による映像を映像読取手段１５により記録する撮影機能として使用できるようになる。
【００２９】
第１筐体５の投影光入射口１９を開閉する可動式遮光シャッタ３１及び、第２筐体６の投影光出射口１７を開閉する可動式遮光シャッタ３２は、図５に示すように、それぞれの筐体に装備されたスライドガイド３４，３５により、筐体相互のスライド方向に移動可能に支持されている。また、各可動式遮光シャッタ３１，３２は、図４に示すように、それぞれの開口１７，１９を閉じた状態が維持されるように、ばね３７により矢印Ｃ、Ｄ方向に付勢されている。
【００３０】
また、図３に示すように、第２筐体６が非稼働位置Ｐ２となるように、筐体５，６の後端を揃えて、第１筐体５と第２筐体６とを上下に連結すると、図５に示すように、第１筐体５に装備される可動式遮光シャッタ３１の凹部３１ａには第２筐体６に突設されたピン４１が嵌合し、第２筐体６に装備される可動式遮光シャッタ３２の凹部３２ａには第１筐体５に突設されたピン４２が嵌合する。
【００３１】
これらの各ピン４１，４２の嵌合により、連結されている筐体５，６相互を稼働位置Ｐ１にスライドさせると、図６に示すように、可動式遮光シャッタ３１はばね３７の付勢力に抗してピン４１と一体に後方に移動して投影光入射口１９を開き、可動式遮光シャッタ３２はばね３７の付勢力に抗してピン４２と一体に前方に移動して投影光出射口１７を開く。
【００３２】
即ち、各可動式遮光シャッタ３１，３２は、連結状態の筐体５，６が非稼働位置Ｐ２から稼働位置Ｐ１にスライドする動作で、各開口１７，１９を開き、第２筐体６が非稼働位置Ｐ２に有るとき、及び筐体５，６が分離状態に有るときには、各開口１７，１９を閉じた状態に維持するようになっている。
【００３３】
以上に説明した投入射兼用電子機器１では、装置筐体３を構成している第１筐体５と第２筐体６とは着脱可能になっていて、第１筐体５には撮影機能に必要なレンズ９や映像読取手段１５が全て組み込まれているため、第１筐体５を第２筐体６から分離することで、撮影機能部分を投影機能部分から切り離して、撮影機能部分を単独で使用することができる。
【００３４】
また、第２筐体６には投影機能の主要部となる光源部２９が組み込まれている。図６に示したように該第２筐体６が第１筐体５に稼働位置Ｐ１で連結されている状態では、第２筐体６内の光源部２９から出射された投影光２７が、各筐体に形成された開口部である投影光出射口１７及び投影光入射口１９を通過して、第１筐体５内のミラーデバイス１３を介して第１筐体５に装備されたレンズ９に送られて、レンズ９により投影光２７の投射が行われる。
【００３５】
即ち、撮影機能用に第１筐体５内に装備されているレンズ９が、投影機能にも兼用されるため、撮影機能と投影機能とで個別に光学系を装備する必要がなく、光学系の構成部品の削減による装置の小型化や、装置コストの低減を図ることもできる。
【００３６】
更に、第１筐体５と第２筐体６は、互いに連結した状態で非稼働位置Ｐ２から稼働位置Ｐ１までスライド可能に構成し、更に、投影光２７の通過のためにそれぞれの筐体に設けた投影光出射口１７及び投影光入射口１９には、稼働位置Ｐ１へのスライド動作によってそれぞれの開口を開く可動式遮光シャッタ３１，３２を設けている。このため、投影機能のためにそれぞれの筐体に設けた開口部である投影光出射口１７及び投影光入射口１９は、投影機能を使う時以外は閉じた状態に保持される。
【００３７】
従って、第１筐体５と第２筐体６とを分離した時に、各投影光出射口１７及び投影光入射口１９が開放状態で外部に露出することがなく、これらの投影光出射口１７及び投影光入射口１９において、障害の発生原因となる塵埃や外光が侵入を防止することができる。
【００３８】
なお、本発明の投入射兼用電子機器１において、第１筐体５の投影光入射口１９を開閉する可動式遮光シャッタ３１や、第２筐体６の投影光出射口１７を開閉する可動式遮光シャッタ３２は、第１筐体５と第２筐体６とが連結されて、第２筐体６が稼働位置Ｐ１にあるときにのみ各開口１７，１９が開かれるように可動に装備されていれば良く、各可動式遮光シャッタ３１，３２を開閉する具体的な構造は上記実施の形態に限定しない。
【００３９】
例えば、稼働位置Ｐ１で筐体５，６が連結されていることを検出するセンサを装備し、各可動式遮光シャッタ３１，３２をモータで開閉するようにする。該センサにより各可動式遮光シャッタ３１，３２の開閉を検出し、電気的に各可動式遮光シャッタ３１，３２の開閉を制御するようにしても良い。
【図面の簡単な説明】
【００４０】
【図１】本発明に係る投入射兼用電子機器の一実施の形態の分解斜視図である。
【図２】図１に示した投入射兼用電子機器の各筐体内部の概略構成図である。
【図３】図１に示した各筐体を投影機能の非稼働位置で上下に重ねて連結した状態の側断面図である。
【図４】図３に示した非稼働位置における連結状態で、各筐体の投影光出射口及び投影光入射口を閉じている可動式遮光シャッタの説明図である。
【図５】図３のＡ−Ａ断面図である。
【図６】図３に示した連結状態から第２筐体を稼働位置にスライドさせることにより、投影光出射口及び投影光入射口の可動式遮光シャッタが開いた状態となった時の側断面図である。
【符号の説明】
【００４１】
１：投入射兼用電子機器、３：装置筐体、５：第１筐体、６：第２筐体、９：レンズ、１１：撮像光、１３：ミラーデバイス、１５：映像読取手段（イメージセンサ）、１７：投影光出射口、１９：投影光入射口、２１：ランプ、２３：ロッドインテグレータ、２５：カラーホイール、２７：投影光、２９：光源部、３１：可動式遮光シャッタ、３１ａ：凹部、３２：可動式遮光シャッタ、３２ａ：凹部、３４，３５：スライドガイド、３７：ばね、４１：ピン、４２：ピン
【図１】
2009025363.tif 000003
【図２】
2009025363.tif 000004
【図３】
2009025363.tif 000005
【図４】
2009025363.tif 000006
【図５】
2009025363.tif 000007
【図６】
2009025363.tif 000008